(57)【特許請求の範囲】
【請求項１】
長円状若しくは楕円状の放音口を有するコーンペーパがメガホン状のフレームの内部に配備されると共に、前記コーンペーパの基端部がフレームの基端部に取り付けた往復駆動機構の往復出力部に連繋されたスピーカ装置において、前記コーンペーパには、前記放音口の面に水平に配置され、コーンペーパの短軸側対向面を連結すると共に透孔が形成された補強板が設けられていることを特徴とするスピーカ装置。
【請求項２】
長円状若しくは楕円状の放音口を有するコーンペーパがメガホン状のフレームの内部に配備されると共に、前記コーンペーパの基端部がフレームの基端部に取り付けた往復駆動機構の往復出力部に連繋されたスピーカ装置において、前記コーンペーパには、前記放音口の面に水平に配置され、コーンペーパの短軸側対向面を連結する補強板が設けられていると共に、前記往復駆動機構の往復出力部は前記放音口の近傍まで延在していることを特徴とするスピーカ装置。
【発明の詳細な説明】
【０００１】
【発明の属する技術分野】
本発明は、長円状若しくは楕円状の放音口を有するスピーカ装置の構造に関する。
【０００２】
【従来の技術】
テレビジョン受像機等の映像機器や、コンピュータ等の情報処理機器においては、映像を出力するディスプレイの側部に音声出力のためのスピーカを配置することによって、映像と音声の一体感を高めることが行われているが、この場合、機器全体の横幅をできるだけ小さくするために、長円状若しくは楕円状の放音口を有する縦長スピーカが採用される。
【０００３】
図５は、このような縦長スピーカの横幅方向の断面構造を表している。
【０００４】
該スピーカは長円状の放音口(10)を有し、メガホン状のフレーム(１)の内部には、メガホン状のコーンペーパ(２)が配備されると共に、フレーム(１)の基端部には、ヨーク(４)、マグネット(５)、ポールピース(６)及びボイスコイル(７)からなる往復駆動機構が取り付けられており、ボイスコイル(７)の外周面にコーンペーパ(２)の基端部が連結されている。又、フレーム(１)の開口端部に形成したコーンペーパ貼付け段部に、コーンペーパ(２)の開口端部が貼り付けられている。更に、ボイスコイル(７)の開口部にはダストプルーフ(71)が配備され、ボイスコイル(７)とフレーム(１)の間には、楕円状に伸びる複数のコルゲーションを有する波板状のダンパー(３)が介在している。
【０００５】
斯かるスピーカにおいては、入力信号に応じた電流をボイスコイル(７)に供給することによって、コーンペーパ(２)が往復駆動されると共に、ダンパー(３)によって該コーンペーパ(２)の振動にダンパー効果が付与されて、放音口(10)からは、入力に応じた音響が発せられることになる。
【０００６】
【発明が解決しようとする課題】
ところで、一般に、スピーカで高い音質を得るためには、コーンペーパにおいて低域周波数の音から高域周波数の音まで再生されなければならない。しかし乍ら、上述の如き縦長スピーカにおいては、高域周波数の音（高音）が十分に再生できないといった問題点があった。
【０００７】
即ち、この種縦長スピーカにおいては短径方向の拘束力が弱いため、ボイスコイルにて発生した高周波振動は、ロール部分で図６（ａ）（ｂ）に示すように図面水平方向に振動することとなる。このため、コーンペーパの基端部で伝わった上下振動がコーンペーパ上で膨狭動（図面水平方向）となり、有効に音に変換されるコーンペーパの上下振動が十分に得られなくなる。斯かる短径側での音変換のロスにより、この種縦長スピーカでは、７ｋ〜８ｋＨｚ以上の高音域で音圧特性に減衰が生じる。尚、低周波振動（低音）においては、振動が緩やかでそのストロークが大きいため、ロール部分の水平方向振動によるロスが少なく、音圧の低下はない。
【０００８】
そこで、この種の縦長スピーカにおいて、高音域の減衰を抑制する目的で、図７に示すように、コーンペーパの開口方向に沿って、短径側の対向面間を連結する板状の補強板(８)を設けることが考えられている。斯かる補強板(８)により、高周波振動時のコーンペーパ(２)の膨狭動が抑制され、短径側においてもコーンペーパ(２)上で上下振動が得られるものである。
【０００９】
然るに、一般にスピーカは数種類の部品を組み立てて構成されており、その部品交差と組立公差によって、薄板状で変形し易いコーンペーパの短径側断面形状のバラツキは特に大きい。このように、短径側の断面形状のバラツキがあると、図８に示すように、短径側対向面を連結する補強板(８)をコーンペーパ(２)に接着させることが困難となり、このような接着不良は音再生時の異常音発生の原因となる。
【００１０】
【課題を解決するための手段】
本発明は、長円状若しくは楕円状の放音口を有するコーンペーパがメガホン状のフレームの内部に配備されると共に、前記コーンペーパの基端部がフレームの基端部に取り付けた往復駆動機構の往復出力部に連繋されたスピーカ装置であって、上記課題を解決するため、前記コーンペーパには、前記放音口の面に水平に配置され、コーンペーパの短軸側対向面を連結すると共に透孔が形成された補強板が設けられていることを特徴とする。
【００１１】
【発明の実施の形態】
図１及び図２は本発明の一実施例を示し、図1は斜視図、図2は短径方向の断面図である。
【００１２】
該スピーカは長円状の放音口(10)を有し、メガホン状のフレーム(１)の内部には、メガホン状のコーンペーパ(２)が配備されると共に、フレーム(１)の基端部には、ヨーク(４)、マグネット(５)、ポールピース(６)及びボイスコイル(７)からなる往復駆動機構が取り付けられており、ボイスコイル(７)の外周面にコーンペーパ(２)の基端部が連結されている。ボイスコイル(７)の開口部はダストプルーフ(71)によって覆われている。更に、ダストプルーフ(71)上には、透孔(81)が形成された補強板(８)が放音口(10)の平面と平行に設置されると共に、該補強板(８)はコーンペーパ(２)の短径側対向面間を接着連結している。
【００１３】
フレーム(１)の開口縁部にはリング状のガスケット(９)が取り付けられている。又、フレーム(１)の開口端部には、コーンペーパ(２)の開口端部が貼り付けられている。
【００１４】
更に、ボイスコイル(７)とフレーム(１)の間には、楕円状に伸びる複数のコルゲーションを有する波板状のダンパー(３)が介在している。
【００１５】
斯かる実施例装置における音圧特性を図３に示す。図３より、本実施例装置では、２０ｋＨｚまで音圧レベルの低下は見られず、高音域でも良好な出力が得られていることが分かる。
【００１６】
本実施例においては、補強板(８)によりコーンペーパ(２)の短径側対向面間を接着連結しているので、高周波振動時のコーンペーパ(２)の膨狭動が抑制され、良好に上下振動が得られる。更に、部品交差と組立公差によるコーンペーパ(２)の形状の変形バラツキは、主に放音口(10)と垂直な方向（図７（ｂ）参照）に現れ、放音口(10)と水平な方向にはほとんど現れないので、容易に組み立てることができ、接着不良を抑止できる。従って、接着不良による異常音を防止できる。
【００１７】
加えて、本実施例では、補強板(８)を放音口(10)と水平な方向に設置しているため、コーンペーパ(２)との連結部の範囲が広く取れ、広範囲にわたってコーンペーパ(２)の膨狭動を抑止できる。
【００１８】
尚、補強板(８)は、コーンペーパ(２)の膨狭動をより抑えるために、できるだけ放音口(10)側に設置するのが好ましく、更にボイスコイル(７)の開口部を放音口(10)近傍まで延在させると本実施例のようにボイスコイル(７)上に補強板(８)を設置できるので、より製造が容易になり好ましい。
【００１９】
次に、本発明の他の実施例として、透孔を設けていない補強板(８)を用いた場合の音圧特性を図４に実線で示す。また、比較のため、補強板(８)自体を設けない場合の音圧特性を破線で示す。図４より、補強板(８)自体を設けない場合では８ｋＨｚ程度から減衰が始まっているのに対し、透孔を設けていない補強板(８)を用いた場合では高音域の減衰が始まるのが１２ｋＨｚ程度まで伸びていることが分かる。
【００２０】
以上より、補強板(８)を放音口(10)と水平な方向に設けることによって、高音域の音圧特性が改善されたスピーカ装置が容易に製造可能であることが分かり、更に補強板(８)のダストプルーフ(71)の対向部分に透孔(81)を形成することによって、より高音域での音圧特性が向上することが分かる。これは、ボイスコイル(７)で発生する高周波の振動がダストプルーフ(71)からも高音として出力され、これが透孔(81)から効率よく取り出せるためであると考えられる。
【００２１】
【発明の効果】
本発明装置によれば、補強板を放音口と水平な方向に設けることによって、高音域の音圧特性が改善されたスピーカ装置が容易に製造可能であり、更に補強板のダストプルーフの対向部分に透孔を形成することによって、より高音域での音圧特性を向上することができる。
【図面の簡単な説明】
【図１】本発明に係るスピーカ装置の一実施例を示す斜視図。
【図２】図１に示す実施例の短径方向の断面図。
【図３】図１に示す実施例における音圧特性図。
【図４】本発明の他の実施例及び比較例における音圧特性図。
【図５】従来の縦長スピーカ装置を示す短径方向の断面図。
【図６】従来装置における高周波振動時の膨狭動を説明する図。
【図７】高周波振動時の膨狭動を抑制する従来装置を示す斜視図。
【図８】図７の従来装置の問題点を説明する図。
【符号の説明】
１  フレーム
２  コーンペーパ
３  ダンパー
４  ヨーク
５  マグネット
６  ポールピース
７  ダストプルーフ
８  補強板
９  ガスケット
【図１】
0003696045.tif 000002
【図２】
0003696045.tif 000003
【図３】
0003696045.tif 000004
【図４】
0003696045.tif 000005
【図５】
0003696045.tif 000006
【図６】
0003696045.tif 000007
【図７】
0003696045.tif 000008
【図８】
0003696045.tif 000009